(57)【要約】【課題】表材と裏材とからなる開閉部材の本体部への取付作業が簡単で、さらに表材のみを交換することが簡単に行える新しい開閉部材を備えた収納家具を提供する。【解決手段】内部に収納空間Ｓを有した本体部１と、前記収納空間Ｓの開口縁部Ｋを開閉し得る扉２ａ、２ｂとを備えてなり、前記扉２ａ、２ｂを、その閉止位置において表面側に位置する表材３と裏面側に位置する裏材４と具備してなるものとし、扉２ａ、２ｂを開閉するための開閉機構を構成するヒンジ機構Ｈ、ラッチ機構Ｌ、引手６を裏材４側に組み込むようにし、表材３に前記ヒンジ機構Ｈ及びラッチ機構Ｌの裏材４の縁部からの突出部位を挿通可能な切欠３Ａ、３Ｂを形成するとともに、表材３を裏材４に対して取り付ける際には、引手６の突出方向とは反対である内側から接近して係合させるようにした収納家具Ａ。【選択図】図２
2004089217.tif 000002
【特許請求の範囲】
【請求項１】
内部に収納空間を有した本体部と、前記収納空間の開口縁部を開閉し得る開閉部材とを備えてなり、前記開閉部材を、その閉止位置において表面側に位置する表材と裏面側に位置する裏材と具備してなるものとした収納家具であって、
前記開閉部材を開閉するための開閉機構を構成する構成要素を前記裏材側に組み込むようにし、前記本体部に取り付けた状態の裏材に対して、前記表材を、前記開閉機構を構成する構成要素を干渉しないように着脱可能に装着していることを特徴とする収納家具。
【請求項２】
前記裏材の周縁部を、閉止位置において前記本体部の収容空間の開口縁部よりも内側に位置付けるように配置し、前記表材をその裏材の周縁部と開口縁部との隙間に挿入されるように形成している請求項１記載の収納家具。
【請求項３】
前記閉止位置において、さらに前記裏材の前縁部を、開口縁部より奥方に位置付けるように配置している請求項２記載の収納家具。
【請求項４】
前記開閉機構を構成する構成要素が、前記裏材に組み込まれた状態でその全部又は一部が裏材の縁部から突出するものであり、
前記表材に、当該構成要素の突出方向に開放されその構成要素の突出部位を挿通可能な切欠を形成している請求項１、２又は３何記載の収納家具。
【請求項５】
前記開閉機構を構成する構成要素として、裏材の一縁部から突出して当該裏材と本体部とに跨るように取り付けられ前記開閉部材の開閉動作を可能にするヒンジ機構を具備し、前記切欠が、当該ヒンジ機構の突出部位を挿通可能なものである請求項４記載の収納家具。
【請求項６】
前記開閉機構を構成する構成要素として、前記裏材の縁部から突出する係留爪を具備し前記本体部に選択的に係留して開閉部材を開成不能に係止するラッチ機構を具備し、前記切欠が、前記係留爪をその係留動作可能に挿通するものである請求項４又は５記載の収納家具。
【請求項７】
前記開閉機構を構成する構成要素が、裏材に組み込まれた状態でその全部又一部が裏材の縁部から突出するものであり、
前記表材を、前記裏材に対してこの開閉機構を構成する構成要素の突出方向とは異なる方向から接近して、前記開閉機構を構成する構成要素を露出した状態のまま裏材に対して表材を取り付けるようにしている請求項１、２又は３記載の収納家具。
【請求項８】
前記開閉機構を構成する構成要素として、前記裏材の一縁部から突出するように当該裏材に取り付けられ開閉部材を開閉するための引手を具備する請求項７記載の収納家具。
【請求項９】
前記引手が、前記開閉機構を構成する構成要素として裏材の対向する両縁部近傍に対をなして設けられたラッチ機構を同期作動可能に連結するものである請求項８記載の収納家具。
【請求項１０】
前記表材を、裏材の前記開閉機構を構成する構成要素を組み込んだ位置を避けた領域に対して係合する取付具を利用して当該裏材に固定するようにしている請求項１乃至９何れかに記載の収納家具。
【請求項１１】
前記取付具が、弾性変形を利用して表材乃至裏材に対して取り付けられて、表材と裏材とを固定するものである請求項１０記載の収納家具。
【発明の詳細な説明】
【０００１】
【発明の属する技術分野】
本発明は、本体部の収納空間を開閉する扉やパネル等の開閉部材を備えた収納家具、特に前記開閉部材の取り付けを簡単にした収納家具に関するものである。
【０００２】
【従来の技術】
従来、内部に収納空間を有した本体部と、前記収納空間の開口縁部を開閉機構によって開閉し得る扉や引出しの前面パネルなどの開閉部材を具備した収納家具が広く知られている。
【０００３】
このような収納家具において、前記開閉部材は、裏材と、表材とを相互に固定してなるものが広く知られ、前記開閉機構の構成要素は、これら裏材と表材とに跨るように取り付けられたり、表材のみに取り付けられている場合が多い。例えば、開閉機構を構成するものであって、開閉部材を開閉させるヒンジ機構は、これら裏材と表材との一縁部側に貫通させて、本体部に跨って位置するように取り付けられている。また、開閉機構を構成するものであって、開閉部材を選択的に係り留めるためのラッチ機構や、開閉部材を開成不能に施錠するする施錠機構などは、裏材と表材との間に形成される空間を利用して表材に対して若しくは裏材と表材とに跨るように取り付けられている。さらに、開閉機構を構成する引手などは、通常表材の表面側に形成されているものが多く見られる。
【０００４】
【発明が解決しようとする課題】
ところが、このようなものであると、開閉部材を本体部に取り付ける際には、表材及び裏材両方を一度に取り付けねばならならず、その取付作業は煩雑なものであった。また、例えば傷が生じた場合の交換やデザインの変更等の際には、本体部と接続するヒンジ機構をわざわざ取り外すようにして表材と裏材とを分解するという極めて煩雑な作業を行なわねばならず、表側に位置する表材のみを付け替えることは実質不可能であった
そこで、このような収納家具において、表材と裏材とからなる開閉部材の本体部への取付作業が簡単で、さらに表材のみを交換することが簡単に行える新しい開閉部材を備えた収納家具を提供することを主たる目的とする。
【０００５】
【課題を解決するための手段】
すなわち、本発明は、内部に収納空間を有した本体部と、前記収納空間の開口縁部を開閉し得る開閉部材とを備えてなり、前記開閉部材を、その閉止位置において表面側に位置する表材と裏面側に位置する裏材と具備してなるものとした収納家具であって、前記開閉部材を開閉するための開閉機構を構成する構成要素を前記裏材側に組み込むようにし、前記本体部に取り付けた状態の裏材に対して、前記表材を、前記開閉機構を構成する構成要素を干渉しないように着脱可能に装着していることを特徴とする収納家具である。
【０００６】
このようなものであれば、従来のように、表材と裏材とを同時に持ち上げて開閉機構に組み込みながら本体部に装着するようなものと比較して、裏材及び表材をそれぞれ別個に取り付けることになり、また取付作業の際に持ち上げねばならないものが軽量にもなるので、取付作業を簡単にスムーズに行うことができるようになる。さらに、このように本体部に取り付けた状態の裏材に対して表材を着脱可能に装着しているため、収納家具から表材のみを取り外して別の表材に付け替えることが可能となり、修理や付け替えに好都合である。
【０００７】
このようなものにおいて、裏材の周縁部を、閉止位置において前記本体部の収容空間の開口縁部よりも内側に位置付けるように配置し、表材を、その裏材の周縁部と開口縁部との隙間に挿入されるように形成するようにすれば、裏材と開口縁部との隙間部分を利用して、開閉機構を無理なく組み込むことができ、また、表材を簡単に装着することができるようになる。さらに、裏材の前縁部を開口縁部より奥方に位置付けるようにすれば、表材の厚み幅を調整することで、開閉部材を本体部と面一に形成することが可能となり、外観上好ましいものとすることができる。
【０００８】
また、前記開閉機構を構成する構成要素を、その全部又は一部を裏材の縁部から突出するように裏材に組み込むようにした場合に、この構成要素と干渉しないように表材を裏材に装着することを実現化する具体的態様としては、表材に、当該構成要素の突出方向に開放されその構成要素の突出部位を挿通可能な切欠を形成するようにすれば望ましい。
【０００９】
また、このような前記開閉機構を構成する構成要素の具体的な一例としては、裏材の一縁部から突出して当該裏材と本体部とに跨るように取り付けられ前記開閉部材の開閉動作を可能にするヒンジ機構が挙げられ、この場合には、表材に前記切欠として、当該ヒンジ機構の突出方向に開放されその突出部位を挿通可能なものを形成するようにすればよい。
【００１０】
また、前記裏材の縁部から突出し前記本体部に係留する係留爪を具備し本体部に選択的に係留して開閉部材を開成不能に係止するラッチ機構をさらに備えたものであれば、このラッチ機構を前記裏材側に組み込むようにし、前記切欠として、前記係留爪をその係留動作ができるように挿通するものを形成すればよい。
【００１１】
なお、このように切欠を設けることで、その構成要素と干渉しないようにすることが可能な開閉機構を構成するその他構成要素としては、マグネットを有する係止部材を備えてこれにより開閉部材を開成不能にロックするロック機構、閂のような係合部材を備えてこれにより開閉部材を開成不能にロックするロック機構、鍵によりロックする施錠機構などが考えられる。
【００１２】
また、前記開閉機構を構成する構成要素を、その全部又は一部を裏材の縁部から突出するように裏材に組み込むようにした場合に、この構成部材と干渉しないように表材を裏材に装着することを実現化する別の具体的態様としては、前記表材を、裏材に対してこの開閉機構を構成する構成要素の突出方向とは異なる方向から接近して、前記開閉機構を構成する構成要素を露出した状態のまま裏材に対して表材を取り付けるようにしてもよい。そして、このような開閉機構を構成する構成要素としては、例えば、裏材の一縁部から突出するように当該裏材に取り付けられ開閉部材を開閉するための引手が挙げられる。
【００１３】
特に、この引手が、開閉機構を構成する構成要素として裏材の対向する両縁部近傍に対をなして設けられたラッチ機構を同期作動可能に連結するものであれば、当該引手は、上下に亘って設けられるものとなるため、このように表材を、裏材に対して引手の突出方向と異なる方向から接近して取り付けることは極めて有効である。
【００１４】
そして、表材と裏材との固定のためには、裏材の前記開閉機構を構成する構成要素を組み込んだ位置を避けた領域に対して係合する取付具を利用して固定するようにすれば好ましい。そして、この取付具を、弾性変形を利用して表材乃至裏材に対して取り付けて表材と裏材とを固定するように構成すれば、簡便である。
【００１５】
【発明の実施の形態】
以下、本発明の一実施形態を、図面を参照して説明する。
【００１６】
図１及び２に示した収納家具Ａは、内部に収納空間Ｓを有した本体部１と、前記収納空間Ｓの開口縁部Ｋを開閉機構によって開閉し得る開閉部材たる左右の扉２ａ、２ｂとを備えてなり、前記左右の扉２ａ、２ｂを、その閉止位置において表面側に位置する表材３と裏面側に位置する裏材４とを具備して構成したものである。そして、本実施形態においては、開閉機構を構成する構成要素として、ヒンジ機構Ｈと、扉２ａ、２ｂを開成不能に係留するラッチ機構Ｌと、引手６とを設け、これらヒンジ機構Ｈ、ラッチ機構Ｌ及び引手６を、前記裏材４側に組み込むとともに、前記本体部１に取り付けた状態の裏材５に対して、前記表材３を、前記構成要素を干渉しないように着脱可能に装着してある。なお、図２において、ヒンジ機構Ｈ、ラッチ機構Ｌ及び引手６は想像線で示している。
【００１７】
本体部１は、例えばスチール材を折り曲げて成形してなる天板１１、底板１２、背板１３、左右一対の側板１４、１４を筐形に組み付けることによって前面を開口させた収納空間Ｓを形成しているものである。
【００１８】
天板１１は、平面視矩形状をなし、その裏面側前端部に後述するラッチ機構５の係留爪５１が係留可能な被係留部１ａを形成している。この天板１１の対向位置には、天板１１と略同型の底板１２が設けられており、その下端をベース１５によって支持されている天板１１と略同型の底板１２が設けられており、その表面側前端部に天板１１と同様に被係留部１ａを形成している。また、背板１３は、この底板１２の後端部と前記天板１１の後端部とに亘って取り付けられている。また、この背板１３の両側端部から前方へ当該背板１３の略直交方向に延びるように側板１４、１４が取り付けられている。
【００１９】
右扉２ｂは、取付端側である側板１４側に設けた図１、２及び４に想像線で示したヒンジ機構Ｈを利用して前記開口縁部Ｋを開閉すべく回転する回転扉であり、主として表面側を構成する表材３と、主として裏面側を構成する裏材４とを互いに固定してなる正面視矩形状のものである。なお、左扉２ａは、右扉２ｂと同様の構成を有するものであるが、ラッチ機構Ｌを組み込んでおらず、引手６に対応する突出部材６’（図１参照）を取り付けてある。
【００２０】
表材３は、扉２ｂの表面を形成する面板部３１と、この面板部３１の上端部及び下端部を折り曲げて形成した上折曲部３２及び下折曲部３３と、前記面板部３１の取付端部を折り曲げて形成した取付端側折曲部３４と、自由端部を折り曲げて形成した自由端側折曲部３５とを具備してなるものである。前記面板部３１は、前面開口縁部Ｋの幅方向の略２分の１を短寸、高さ方向を長寸となるように設定し、１対の扉で開口縁部Ｋをほぼ隙間無く覆うようにしたものである。上折曲部３２は、面板部３１の上端部を後方、下方及び前方へ折り曲げて形成したものであり、下折曲部３３は、面板部３１の下端部を後方、上方及び前方へ折り曲げて形成したものである。取付端側折曲部３４は、図２０〜２３に示すように面板部３１の取付端部を後方、内方及び前方に連続して折り曲げて前記面板部３１の厚み方向（以下、厚み方向と略す）に沿った外起立片３４１、前記面板部３１の面方向（以下、面方向と略す）に沿った後起立片３４２及び厚み方向に沿った内起立片３４３を形成して構成したものである。自由端側折曲部３５は、図１４〜１９に示すように面板部３１の自由端部を後方、内方及び後方へ連続して折り曲げて、厚み方向に沿った外起立片３５１、面方向に沿った後起立片３５２及び厚み方向に沿った内起立片３５３を形成して構成したものである。そして、本実施形態においては、図３、５に示すように、開閉機構を構成する構成要素を干渉しない状態で、この表材３を裏材４に対して着脱可能に装着するために、ヒンジ機構Ｈに対応する位置となる前記取付端側折曲部３４に当該ヒンジ機構Ｈの裏材４からの突出方向すなわち取付端部側に開放されその突出部位を挿通させることが可能な大きさに設定した第１の切欠３Ａと、ラッチ機構Ｌを構成し裏材４から突出する後述する係留爪５１に対応する位置に当該係留爪５１の回転動作を許容して挿通させること可能な大きさに設定した第２の切欠３Ｂとを形成している。
【００２１】
一方、裏材４は、前記右扉２ｂの裏面を形成する面板部４１と、この面板部４１の上端部を折り曲げて形成した上折曲部４２と、面板部４１の下端部を折り曲げて形成した下折曲部４３と、面板部４１の取付端部を折り曲げて形成した取付端側折曲部４４と、面板部４１の自由端部を折り曲げて形成した自由端側折曲部４５とを具備してなるものである。図２０〜２３に示すように、取付端側折曲部５４は、面板部４１の取付端部を前方、内方へ連続して折り曲げて、厚み方向に沿った外起立片４４１と、面方向に沿った前起立片４４２とを形成して構成したものである。前記外起立片４４１は、前記表材３の取付端側折曲部３４の内起立片３４３に当接させ突き合わせ部Ｆを形成している。前記外起立片４４１は、図１７〜１９に示すように、自由端側折曲部４５は、面板部４１の自由端部を前方、内方へ連続して折り曲げて厚み方向に沿った外起立片４５１と、前記表材３の後起立片３５２と略当接する面方向に沿った第２の面板部たる前起立片３５２とを形成してなるものであり、前記表材側折曲部３５と合わせて扉２ｂの自由端側の縁部を覆うようにしている。また、図４に示すように、前記上折曲部４２の上縁部４２ａと、下折曲部４３の下縁部４３ａ及び取付端側折曲部４４の取付端側の側縁部４４ａを、右扉２ｂの閉止された状態において開口縁部Ｋよりも内側に位置付けるように設定して、裏材４の周縁部と開口縁部Ｋとの間に形成される隙間Ｇ（図中斜線で示している）に、前記表材３の上折曲部３２と、下折曲部３３と、外折曲部３４とが挿入できるようにしている。また、面板部４１の前縁部を、当該裏材４を本体部１に取り付けて閉止位置とした場合に開口縁部Ｋより表材３の面板部３１の略肉厚寸法分奥方へ位置するように設定して、当該裏材４に表材３を装着した場合に、表材３の面板部３１が開口縁部Ｋと面一をなすようにしている。
【００２２】
ヒンジ機構Ｈは、前述したように、想像線で簡略化して示しているが、その一端側を裏材４の取付端側の縁部近傍に上下に形成された切欠部分４ａに図示しないブラケットを介して取り付けるとともに、他端側を前記取付端側の縁部から本体部１側に突出させて当該本体部１の側板１４に固定するようにしたものである。その具体的構成については、従来からよく知られたものであるので、説明を省略する。
【００２３】
ラッチ機構Ｌは、図５〜７に示すように、対向する上下を折り曲げ加工して一対の水平片５４ｂを設けた側面視略コの字形状のベース部材５４に、前記被係留部１ａに係留する係留爪５１と、係留爪５１を軸支する第１の回転軸５２と、係留爪５１を本体部１に係留する方向に弾性付勢するねじりコイルバネ等の付勢手段５３と、引手６に取り付けられ引手６の回転動作を第１の回転軸５２に伝達する伝達部材５５と、引手６に一体的に取り付けられる伝達部材５５を回転可能に支持する第２の回転軸５６とを一体的に取り付けてユニット化したものである。このラッチ機構Ｌの動作について説明すると、引手６を手前側に引くことで、各伝達部材５５と一体的に第２の回転軸５６を支点に図に示す矢印の方向へ回転動作を行う。すると、その回転動作に連動して、各伝達部材５５が天秤動作を行い、各伝達部材５５の起立壁５５ａに対して、第１の回転軸５２の一部に設けられ突部５２ｂを一体に設けてなる押し当て部材５２ａを右扉３の後面側へ押す力が作用し、押し当て部材５２ａが第１の回転軸５２を支点に同期して同図に示す矢印の方向に回転する。その結果、第１の回転軸５２に固定して取り付けられている係留爪５１が押し当て部材５２ａとともに回転し、上下の各係留爪５１の被係留部１ａに対する係留状態を同時に解除する。しかして、このユニット化されたラッチ機構Ｌは、前記係留爪５１を、裏材４の上折曲部４２に形成した貫通孔４２ｂから突出させるとともにベース部材５４の起立壁５４ａ及び上側の水平片５４ｂを裏材４の内方側に溶接等により固定することで裏材４に取り付けてある。
【００２４】
引手６は、図６、７等に示すように、例えば合成樹脂素材を押し出し成形して、上端から下端に亘って前面側に開口する凹部６１と、一方の側面に奥行方向及び巾方向に同時に延びる傾斜面６２と、目隠し部６３とを一体に形成して、右扉２ａの裏材４の一縁部たる自由端側の縁部から突出するように取り付けたものである。凹部６１は、その一部に指先を掛けて操作できるように標準的な成人の指先が十分に入るスペースを有するものである。また、目隠し部６３は、引手６の側面と右扉２ｂの側面との間に引手６の回転動作時に引手６が右扉２ｂに干渉しないように設けた空間Ｓ１を隠蔽するものである。この引手６は、本実施形態においては、上下の縁部近傍に設けられた前記一対のラッチ機構Ｌを構成する伝達部材５５、５５を構成する取り付け片５５ｃ、５５ｃにねじ止めにより固定され、一対のラッチ機構Ｌ、Ｌそれぞれを同期作動可能に連結する機能を有するものである。
【００２５】
しかして、本実施形態では、前記表材３と裏材４とを、裏材４の前記開閉機構を構成する構成要素を組み込んだ位置を避けた領域に対して係合する取付具である仮止部材７及び止着部材８によって固定して、扉２ａ、２ｂを構成している。
【００２６】
これら仮止部材７及び止着部材８を利用するために、前記表材３の自由端側の縁部に図１４〜１９に示すように仮止部材取付部として仮止部材取付孔Ｔ７を形成するとともに、表材３及び裏材４の取付端側の縁部近傍に、図２０〜２３に示すようにこれら表材３及び裏材４に跨る止着部材取付部Ｔ８を形成している。仮止部材取付孔Ｔ７は、仮止部材７と係合するように表材３の自由端側折曲部３５を構成する内起立片３５３の上端部近傍、中間位置及び下端部近傍の３箇所形成されている。また、止着部材取付部Ｔ８は、前記上下一対のラッチ機構Ｌ、Ｌが組み込まれている位置の上方位置と下方位置とに形成され、突き合わせ部Ｆを構成する表材３側の内起立片３４３に切欠Ｔ８１１を形成するとともに裏材４側の外起立片３５１に貫通孔Ｔ８１２を形成して当該突き合わせ部Ｆを貫通する挿通路Ｔ８１と、止着部材８をこの挿通路Ｔ８１に導くように裏材４の前記突き合わせ部Ｆ近傍に形成した挿入孔Ｔ８２と、後述する止着部材８の弾性爪８２１と係り合う係合孔Ｔ８３とからなる。
【００２７】
仮止部材７は、対向する一対の縁部の一方である取付端側の縁部において、表材３に取り付けた状態でその表材３を裏材４側へスライド移動させることによって、これら表材３と裏材４とを少なくとも厚み方向に離間するのを規制して仮止めするものである。具体的には、図８〜１０、１４〜１９に示すように、樹脂等を素材として、平断面形状が略Ｕ字型をなすばねの様に形成され前記仮止部材取付孔Ｔ７に差し込まれる差込部７１と、この差込部７１の上下に当該差込部７１から水平方向に変位して形成した一対の支持部７２とを一体に形成し、正面視概略ハットを立てたような外形をなすものである。差込部７１は、その上下寸法を、前記仮止部材取付孔Ｔ７の上下寸法に略一致させてあり、その上下方向の中間部位には切り込み７１２を入れ、引掛爪７１１１によって前記仮止部材取付孔Ｔ７の開口縁部に係り合う弾性爪７１１を形成している。また、差込部７１と支持部７２とは、後起立片３５２の板厚寸法より若干大きい寸法だけ離間させてあり、対向する差込部７１の内向面７１ａと支持部７２の内向面７２ａとの間に形成される隙間ｈ（図１０参照）に後起立片３５２を厚み方向に挟み込んだ姿勢で、しかも自由端側の縁部よりも内側位置に取り付けられるようにしている。そして、この仮止部材７を表材３に取り付けた状態で、この後起立片３５２と差込部７１との間に形成される隙間部分に、裏材４の自由端側折曲部４５を構成する前起立片４５２を圧入することで、仮止状態とするようになっている。すなわち、この時点で表材３と裏材４との面方向に沿った離間が規制された状態となる。
【００２８】
一方、止着部材８は、対向する一対の縁部の他方である自由端側の縁部において、回転動作を利用して前記表材３と裏材４とに跨るように取り付けて、その取付位置でこれら表材３と裏材４とが厚み方向及び面方向に沿って離間するのを禁止してこれら表材３と裏材４とを止着するものである。詳述すると、この止着部材８は、図１１〜１３、２０〜２３等に示すように樹脂等を素材として、挿入孔Ｔ７２から挿入され回転動作によって取付位置において前記挿通路Ｔ８１を通じて突き合わせ部Ｆに跨るように位置付けられ表材３及び裏材４の面方向及び厚み方向の離間を禁止する係合部８１と、前記挿入孔Ｔ７２から少なくとも一部を外部に露出した状態で前記係合部８１を取付位置で移動不能に定着させる戻止部８２とを一体に形成したものである。係合部８１は、平断面形状を略Ｕ字型に成形し、その先端部に取付位置において取付端側折曲部３４の後起立片３４２に内側から当接して表材３が裏材４に対して厚み方向に沿って前方へ離間するのを禁止する第１の当たり面８１ａを形成するとともに、前記突き合わせ部Ｆを構成する内起立片３４３に当接して表材３が裏材４に対して面方向に沿って外方へ離間するのを禁止する第２の当たり面８１ｂとを形成してなるものである。戻止部８２は、弾性爪８２１を備えその弾性爪８２１の弾性復帰力によって係合孔Ｔ８３に係合するようにしたものである。この弾性爪８２１は、取付位置において係合孔Ｔ８３から内部へ突出するように形成され、その引掛爪８２１１が係合孔Ｔ８３の開口縁部の裏側に引っ掛かるように形成したものである。すなわち、この戻止部８２は、取付位置においては、この弾性爪８２１以外の部位が裏材４の外部（背面４１ａ側）へ表出した状態となり、取り付け及び取り外しの際に操作することのできる操作部としても機能することになる。また、この戻止部８２は、前記弾性爪８２１を係合孔Ｔ８３に係合させた取付位置において、裏材４の面板部４１の背面４１ａに密着する押圧面８２ａを形成して表材３と裏材４とをがた無く取り付けられるようにしている。
【００２９】
以下に、表材３と裏材４とを相互に固定して右扉２ｂを構成する場合の手順について説明する。
【００３０】
まず、裏材４に対して、ユニット化されたラッチ機構Ｌを上述したように溶接によって取り付けるようにする。次に、固定されたラッチ機構Ｌを構成する取付片５５ｃに対してねじ止めによって引手６を取り付ける。
【００３１】
次に、一端を本体部１にねじ止め等で固定したヒンジ機構Ｈの他端を、裏材４にねじ止め等により固定しておいた前記ブラケットに対して固定することで、裏材４このヒンジ機構Ｈを介して本体部１に取り付けるようにする。
【００３２】
一方、表材３の自由端側折曲部３５に形成した仮止部材取付孔Ｔ７に弾性爪７１１の弾性変形及び弾性復帰力を利用して、後起立片３５２を挟み込む姿勢で仮止部材７を取り付けて（図１４〜１６）、その状態の表材３を裏材５に内側から接近させ、引手６を取り付けてある自由端側折曲部４５の前起立片４５２を前記表材３の後起立片３５２と差込部７１との間に圧入し、表材３と裏材４とを仮止状態とする（図１７〜１９）。この際、図示例のものでは、表材３と裏材４とが平行をなすようになっているが、裏材４に対して表材３を若干手前側から斜めにスライド移動させて仮止めするようにしてもよい。
【００３３】
そして、表材３の取付端側の縁部を、裏材４の取付端側の縁部に近づけて、その取付端側折曲部４４が表材３の取付端側折曲部３４の内側に位置付けるようにして表材３と裏材４とを係合状態とする。この際、前述のように表材３を手前側から斜めに移動させて仮止めした場合には、その仮止部分を中心として回動させるようにして表材３と裏材４とを係合状態となるようにする。そして、この係合状態において、裏材４の前起立片４４２の前向き面４４２ａが表材３の面板部３１の背面３１ａに当接した状態となって表材３の後方（裏材４側）への移動が禁止され、また、突き合わせ部Ｆにおいて表材３の内起立片３４３が裏材４の外起立片４４１に当接することによって、表材３の内方への移動が禁止されている。また、表材３の上折曲部３２、下折曲部３３にそれぞれ裏材４の上折曲部４２、下折曲部４３が内側にほぼ当接することによって、表材３の裏材４に対する上下方向の離間も禁止される。このように係合状態とした表材３と裏材４とを、前述したように表材３の裏材４に対する前方の移動及び外方への移動を禁止する止着部材８で止着する。この止着部材８を、止着部材取付部Ｔ８に対して取り付ける場合の手順は、係合部８１を挿入孔Ｔ８２から挿入し（図２０）、係合部８１の基端部と挿入孔Ｔ８２との接触する部位を回動点として当該係合部８１が挿通路Ｔ８１をように回動させ（図２１）、戻止部８２の弾性爪８２１を経過的に弾性変形して係合孔Ｔ８３へ挿入して（図２２）当該係合孔Ｔ８３へ係り合わせるようにする（図２３）。なお、左扉２ａについても、上述したようにラッチ機構Ｌ及び引手６を組み込まない点を除いては、表材３と裏材４との固定手順は、同様ものものである。
【００３４】
以上のように構成した収納家具Ａによれば、開閉機構を構成するヒンジ機構Ｈ、ラッチ機構Ｌ、引手６を裏材４側に組み込んで、裏材４を本体部１取り付けた状態で、表材３を裏材４に対して装着することで扉２ａ、２ｂを構成するようにしているので、従来の表材３と裏材４とを同時に持ち上げて開閉機構に組み込みながら本体部１に装着するようなものと比較して、裏材４、表材３を別個に取り付ければよいため、取付作業を簡単にスムーズに行うことができる。さらに、表材３のみを取り外して別の表材に付け替えることが可能となり、修理や付け替えに好都合である。
【００３５】
特に、裏材４の周縁部を、閉止位置において前記本体部１の収容空間の開口縁部Ｋよりも内側に位置付けるように配置しているため、裏材４と本体部１の開口縁部Ｋとの隙間Ｇを利用して、裏材４にヒンジ機構Ｈ及びラッチ機構Ｌを無理なく組み込むことができるとともに、その隙間Ｇに嵌め込むように裏材４を後から装着することも無理なく実施できる。加えて、第１の切欠３Ａ、第２の切欠３Ｂによって、表材３を装着する際に、裏材４に組み込んだヒンジ機構Ｈの裏材の取付端側の縁部から突出した部位、ラッチ機構Ｌの裏材４の上縁部４２ａから突出した係留爪５１と干渉しないようにしているため、加工が簡単である。
【００３６】
また、本実施形態において、従来よく知られている表材側から係留爪を突出させるラッチ機構の構成を採用しないで、前記ラッチ機構Ｌを裏材４にすべて組み込み、すなわち係留爪５１を裏材４と本体部１とを係り留めるような構成を採用したことが、表材３を本体部１に取り付けた状態の裏材４に対して装着することを可能にしている。
【００３７】
さらに、前記引手６に干渉しないようにするため、自由端側折曲部３５を利用して表材３の縁部より内側に仮止部材７を取り付けているので、裏材４に対してその引手６の突出方向とは異なる方向である内側から接近させてスライド移動によって、無理なく裏材４と係合させることができる。そして、この結果、引手６を取り外すことなく、表材３を裏材４に対して装着することができる。特に、本実施形態においては、この引手６を、上下に設けたラッチ機構Ｌを同期作動可能に連結するいわゆる伝達機構を兼ねるものとしているため、扉２ａ、２ｂの自由端側の縁部に上下に亘って取り付けており、表材３を内側からのスライド移動することで仮止め可能であることはその取付を簡便なものとしている。そして、このような取付手順が、引手６に表材３に一部被るような目隠し部６３を形成してこの収納家具Ａの外観を良好にすることを可能としている。
【００３８】
加えて、従来よく知られている表板に手を挿入可能な穴部を形成するとともに、その穴部にラッチ機構が連結される操作レバーを配して構成したような引手であれば、裏材４から表材３のみ外すように構成することは非常に難しいが、本実施形態では、樹脂による一体成形品で右扉２ｂの自由端側の縁部に対して当該縁部から突出するように外付けできるようなものであり、且つロッドなど必要とせず上下のラッチ機構Ｌ、Ｌを同期連結する機能を兼ねるような引手６を採用しているために、その引手６を裏材４に無理なく組み込んで本体部１に取り付けた状態の裏材４に対して表材３を装着することを可能にしている。
【００３９】
また、裏材４の前縁部を開口縁部Ｋより表材３の面板部３１の厚み寸法分奥方に位置付けるようにし、扉２ａ、２ｂを本体部１と面一となるようにしているため外観上好ましい。
【００４０】
仮止部材７及び止着部材８を、開閉機構の構成要素に干渉しない位置において、取り付けるようにしているので、開閉機構の組み込みに影響されることなく全く別個に取付作業を行うことができる。
【００４１】
固定するための仮止部材７、止着部材８を、それぞれ弾性爪７１１１、８２１１によって表材３乃至裏材４に係合するようにしているので、固定のための工具を必要とせず、極めて簡単に固定することができ、また、裏材４に固定した状態から簡単に表材３を脱着することも簡単である。
【００４２】
なお、本発明は上記実施形態に限られない。
【００４３】
例えば、開閉部材とてしては、裏材たる裏当板と表材たる鏡板とを具備して収納空間を開閉する引出しの前板のようなものであってもよい。
【００４４】
また、開閉機構を構成するその他構成要素としては、マグネットを有する係止部材を備えてこれにより開閉部材を開成不能にロックするロック機構、閂のような係合部材を備えてこれにより開閉部材を開成不能にロックするロック機構、鍵によりロックする施錠機構などを備えたものであってもよい。
【００４５】
その他、各部の具体的構成についても上記実施形態に限られるものではなく、本発明の趣旨を逸脱しない範囲で種々変形が可能である。
【００４６】
【発明の効果】
本発明は、以上説明したような形態で実施され、以下に記載されるような効果を奏する。
【００４７】
すなわち、本発明によれば、裏材に開閉機構を組み込んで、本体部に取り付けた状態において、従来のように、表材と裏材とを同時に持ち上げて開閉機構に組み込みながら本体部に装着するようなものと比較して、裏材及び表材をそれぞれを別個に取り付けるため、取付作業を簡単にスムーズに行うことができる。さらに、このように本体部に取り付けた状態の裏材に対して表材を着脱可能に装着しているため、収納家具から表材のみを取り外して別の表材に付け替えることができ、修理や付け替えに好都合である。
【図面の簡単な説明】
【図１】本実施形態を示す全体斜視図。
【図２】本実施形態を示す要部の斜視図
【図３】本実施形態における右扉の分解斜視図。
【図４】本実施形態における裏材を示す一部破断した正面図。
【図５】本実施形態における引手及びラッチ機構を示す正面図。
【図６】本実施形態における引手及びラッチ機構を示す説明図。
【図７】本実施形態における引手及びラッチ機構を示す説明図。
【図８】本実施形態における仮止部材の斜視図。
【図９】本実施形態における仮止部材の正面図。
【図１０】本実施形態における仮止部材の平面図。
【図１１】本実施形態における止着部材の平面図。
【図１２】本実施形態における止着部材の平面図。
【図１３】本実施形態における止着部材の側面図。
【図１４】本実施形態における仮止部材の取付を示す説明図。
【図１５】本実施形態における仮止部材の取付を示す説明図。
【図１６】本実施形態における仮止部材の取付を示す説明図。
【図１７】本実施形態における表材と裏材とを仮止めする手順を示す説明図。
【図１８】本実施形態における表材と裏材とを仮止めする手順を示す説明図。
【図１９】本実施形態における表材と裏材とを仮止めする手順を示す説明図。
【図２０】本実施形態における表材と裏材とを止着する手順を示す説明図。
【図２１】本実施形態における表材と裏材とを止着する手順を示す説明図。
【図２２】本実施形態における表材と裏材とを止着する手順を示す説明図。
【図２３】本実施形態における表材と裏材とを止着する手順を示す説明図。
【符号の説明】
１・・・本体部
２ａ、２ｂ・・・開閉部材（左右の扉）
３・・・表材
３Ａ・・・第１の切欠
３Ｂ・・・第２の切欠
４・・・裏材
４２ａ・・・裏材の周縁部（上縁部）
４３ａ・・・裏材の周縁部（下縁部）
４４ａ・・・裏材の周縁部（側縁部）
５１・・・係留爪
７・・・仮止部材
８・・・止着部材
Ａ・・・収納家具
Ｇ・・・隙間
Ｈ・・・ヒンジ機構
Ｋ・・・開口縁部
Ｌ・・・ラッチ機構
Ｓ・・・収納空間
【図１】
2004089217.tif 000003
【図２】
2004089217.tif 000004
【図３】
2004089217.tif 000005
【図４】
2004089217.tif 000006
【図５】
2004089217.tif 000007
【図６】
2004089217.tif 000008
【図７】
2004089217.tif 000009
【図８】
2004089217.tif 000010
【図９】
2004089217.tif 000011
【図１０】
2004089217.tif 000012
【図１１】
2004089217.tif 000013
【図１２】
2004089217.tif 000014
【図１３】
2004089217.tif 000015
【図１４】
2004089217.tif 000016
【図１５】
2004089217.tif 000017
【図１６】
2004089217.tif 000018
【図１７】
2004089217.tif 000019
【図１８】
2004089217.tif 000020
【図１９】
2004089217.tif 000021
【図２０】
2004089217.tif 000022
【図２１】
2004089217.tif 000023
【図２２】
2004089217.tif 000024
【図２３】
2004089217.tif 000025